【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
被写体を撮影して画像を取得する撮像手段と、
前記撮像手段で取得した画像に基づき、外部装置を繰り返し検出する検出手段と、
第一の通信規格による無線通信を行う第一の無線通信手段と、
前記検出手段により前記外部装置が検出された場合、前記第一の無線通信手段を介して前記外部装置との無線通信を確立するための処理を開始するよう制御する制御手段とを有し、
前記第一の無線通信手段により前記外部装置との無線通信が確立した後に前記検出手段により前記外部装置が一定時間検出されなかった場合、前記制御手段は、前記第一の無線通信手段による前記外部装置との無線通信を切断するよう制御し、
前記一定時間が経過する前に前記検出手段により前記外部装置が再度検出された場合、前記制御手段は、前記第一の無線通信手段による前記外部装置との無線通信を維持するよう制御することを特徴とする通信装置。
【請求項２】
前記第一の通信規格とは異なる第二の通信規格による無線通信を行う、前記第一の無線通信手段とは異なる第二の無線通信手段を更に有し、
前記検出手段により前記外部装置の存在が検出された場合、前記制御手段は、前記第一の無線通信手段を介して前記外部装置との無線通信を確立するよう制御する前に、前記第二の無線通信手段を介して、前記外部装置の動作モードに関する情報を取得するよう制御し、
前記制御手段は、前記外部装置の動作モードに応じて、前記第一の無線通信手段を介して前記外部装置との無線通信を確立するよう制御するか否かを切り替えることを特徴とする請求項１に記載の通信装置。
【請求項３】
前記第二の無線通信手段は、前記第一の無線通信手段よりも消費電力が小さいことを特徴とする請求項２に記載の通信装置。
【請求項４】
前記検出手段により前記外部装置の存在が検出された場合、前記制御手段は、前記第一の無線通信手段を介して前記外部装置との無線通信を確立するよう制御する前に、前記第一の無線通信手段を介して、前記外部装置の動作モードに関する情報を取得するよう制御し、
前記制御手段は、前記外部装置の動作モードに応じて、前記第一の無線通信手段を介して前記外部装置との無線通信を確立するよう制御するか否かを切り替えることを特徴とする請求項１に記載の通信装置。
【請求項５】
前記外部装置の動作モードが撮影モードまたは再生モードである場合、前記制御手段は、前記第一の無線通信手段を介して前記外部装置との無線通信を確立するよう制御することを特徴とする請求項２乃至４のいずれか１項に記載の通信装置。
【請求項６】
前記外部装置の動作モードが撮影モードである場合、前記第一の無線通信手段により前記外部装置との無線通信が確立した後に前記検出手段により前記外部装置が一定時間検出されなくとも、前記制御手段は、前記第一の無線通信手段による前記外部装置との無線通信を切断しないよう制御することを特徴とする請求項１乃至５のいずれか１項に記載の通信装置。
【請求項７】
前記外部装置の動作モードが撮影モードである場合、前記第一の無線通信手段により前記外部装置との無線通信が確立した後に前記検出手段により前記外部装置が前記一定時間検出されなくとも、前記制御手段は、前記第一の無線通信手段による前記外部装置との無線通信を切断しないよう制御し、
前記検出手段により前記外部装置が検出されないまま、前記一定時間よりも長い所定の時間経過した場合、前記制御手段は、前記第一の無線通信手段による前記外部装置との無線通信を切断するよう制御することを特徴とする請求項１乃至６のいずれか１項に記載の通信装置。
【請求項８】
前記第一の無線通信手段により前記外部装置との無線通信が確立した後に前記検出手段により前記外部装置の存在が検出されなかった場合、前記制御手段は、前記第一の無線通信手段を介して、前記外部装置の動作モードに関する情報を取得するよう制御し、
前記検出手段により前記外部装置の存在が検出されなかったことに応じて取得された前記外部装置の動作モードが撮影モードである場合、前記制御手段は、前記第一の無線通信手段による前記外部装置との無線通信を維持するよう制御し、
前記検出手段により前記外部装置の存在が検出されなかったことに応じて取得された前記外部装置の動作モードが撮影モードでない場合、前記制御手段は、前記第一の無線通信手段による前記外部装置との無線通信を切断するよう制御することを特徴とする請求項１乃至５のいずれか１項に記載の通信装置。
【請求項９】
前記第一の無線通信手段を所定の消費電力で動作させる第一のモードと、前記第一の無線通信手段を動作させないようにするか、前記所定の消費電力よりも低消費電力で動作させるようにする第二のモードを備え、
前記第一の無線通信手段が前記第二のモードの状態で前記検出手段により前記外部装置の存在が検出された場合、前記制御手段は、前記第一の無線通信手段を前記第一のモードに遷移させるよう制御することを特徴とする請求項１乃至８のいずれか１項に記載の通信装置。
【請求項１０】
前記検出手段は、前記撮像手段で取得した画像に所定のマーカが含まれているか否かを判断することにより、前記外部装置の存在を検出することを特徴とする請求項１乃至９のいずれか１項に記載の通信装置。
【請求項１１】
前記検出手段は、前記撮像手段で取得した画像と、予め記憶している所定の装置の形状に関する情報とに基づき、前記外部装置の存在を検出することを特徴とする請求項１乃至９のいずれか１項に記載の通信装置。
【請求項１２】
通信装置の制御方法であって、
被写体を撮影して画像を取得するステップと、
前記撮像工程で取得した画像に基づき、外部装置を繰り返し検出するステップと、
第一の通信規格による無線通信を行うステップと、
前記外部装置が検出された場合、前記第一の無線通信工程にて前記外部装置との無線通信を確立するための処理を開始するよう制御するステップとを有し、
前記第一の無線通信規格による前記外部装置との無線通信が確立した後に前記外部装置が一定時間または一定回数検出されなかった場合、前記第一の無線通信規格による前記外部装置との無線通信を切断するよう制御し，
前記一定時間が経過する前に前記外部装置が再度検出された場合、前記第一の無線通信規格による前記外部装置との無線通信を維持するよう制御することを特徴とする通信装置の制御方法。
【請求項１３】
コンピュータを、請求項１乃至１１のいずれか１項に記載の通信装置の各手段として機能させるための、コンピュータが読み取り可能なプログラム。
【手続補正２】
【補正対象書類名】明細書
【補正対象項目名】０００７
【補正方法】変更
【補正の内容】
【０００７】
上記の目的を達成するために本発明の通信装置は、被写体を撮影して画像を取得する撮像手段と、前記撮像手段で取得した画像に基づき、外部装置を繰り返し検出する検出手段と、第一の通信規格による無線通信を行う第一の無線通信手段と、前記検出手段により前記外部装置が検出された場合、前記第一の無線通信手段を介して前記外部装置との無線通信を確立するための処理を開始するよう制御する制御手段とを有し、前記第一の無線通信手段により前記外部装置との無線通信が確立した後に前記検出手段により前記外部装置が一定時間検出されなかった場合、前記制御手段は、前記第一の無線通信手段による前記外部装置との無線通信を切断するよう制御し、前記一定時間が経過する前に前記検出手段により前記外部装置が再度検出された場合、前記制御手段は、前記第一の無線通信手段による前記外部装置との無線通信を維持するよう制御することを特徴とする。